(57)【要約】【課題】安価で且つ誰でも気軽に利用することができ、しかも、遊び心のある軽運動補助路を提供する。【解決手段】本発明は、踏点であることを示す識別子が表示された第一エレメントを備え、複数の第一エレメントを所定の方向に並べて若しくは間隔を開けて配置したことを特徴とする。【選択図】      図１
2004305481.tif 000002
【特許請求の範囲】
【請求項１】
踏点であることを示す識別子が表示された第一エレメントを備え、複数の第一エレメントを所定の方向に並べて若しくは間隔を開けて配置したことを特徴とする軽運動補助路。
【請求項２】
前記識別子が表示されていない第二エレメントをさらに備え、第一エレメント及び第二エレメントは、それぞれ平面視にて方形状であり、且つ少なくとも何れか一方は、辺の長さが異なる少なくとも二種類以上からなることを特徴とする請求項１記載の軽運動補助路。
【請求項３】
前記複数の第一エレメントを所定の方向に並べて若しくは間隔を開けて配置したものを複数並列させると共に、各列毎に識別子の間隔を異ならせるようにしたことを特徴とする請求項１又は２記載の軽運動補助路。
【請求項４】
前記複数の第一エレメントは、右足用と左足用とが所定の方向に沿って交互に配置されてなることを特徴とする請求項１乃至３の何れかに記載の軽運動補助路。
【請求項５】
前記複数の第一エレメントは、片足用と両足用の何れかが所定の方向に沿って適宜に配置されてなることを特徴とする請求項１乃至３の何れかに記載の軽運動補助路。
【発明の詳細な説明】
【０００１】
【発明の属する技術分野】
本発明は、歩行運動、走行運動あるいは跳躍運動といった軽運動を行う際に好適な軽運動補助路に関する。
【０００２】
【従来の技術】
歩行運動（ウォーキング）や走行運動（ジョギング）は、体力増進や健康管理のための最も一般的な方法の一つである。その中でも特に歩行運動は、その人の体力に応じてゆっくりとしたペースで行うことができ、且つ地面からの衝撃等による身体への負担が少ないことから、老若男女を問わず日常生活の中に取り入れられるようになってきている。
【０００３】
但し、何れの運動にしても、ただ漫然と行うのではなく、何らかの意識を持つことが重要である。歩行スピードに対する意識付けを主眼としたものとしては、特許文献１に記載されたペースメーカーが公知である。このペースメーカーは、歩道や遊歩道等に沿ってＬＥＤを配設し、利用者によって入力された設定値に基づいてＬＥＤを流れ点滅するもので、このＬＥＤの点滅に合わせて歩行することにより、予め定められたペース通りの歩行運動を可能とする。
【０００４】
【特許文献１】
特許第２６８８３２９号公報
【０００５】
【発明が解決しようとする課題】
この種のペースメーカーは、流れ点滅の速度が可変であるため、利用者の体力や体調に応じた適切な運動を可能とする点で優れている。しかしながら、取扱いが多少なりとも煩雑であるがゆえに利用に当たって抵抗感が少なからずある。しかも、複雑な構造であるため、高価でもある。
【０００６】
そこで、本発明は、安価で且つ誰でも気軽に利用することができ、しかも、遊び心のある軽運動補助路を提供することを課題とする。
【０００７】
【課題を解決するための手段】
本発明に係る軽運動補助路は、上記課題を解決するためになされたもので、踏点であることを示す識別子が表示された第一エレメントを備え、複数の第一エレメントを所定の方向に並べて若しくは間隔を開けて配置したことを特徴とする。
【０００８】
上記構成からなる軽運動補助路によれば、複数の識別子が所定の方向に沿って所定の間隔を有して表示され、利用者はこれを踏むようにして歩行運動、走行運動あるいは跳躍運動を行う。歩行運動や走行運動であれば、進行方向にある識別子に左右の足を交互に繰り出して進み、跳躍運動であれば、進行方向にある識別子に向かって跳躍しながら進むのである。このように、複数の識別子を意識して歩行運動、走行運動あるいは跳躍運動を行うことにより、歩幅、走行幅あるいは跳躍幅に対する意識付けがなされるようになる。
【０００９】
また、本発明に係る軽運動補助路は、識別子が表示されていない第二エレメントをさらに備え、第一エレメント及び第二エレメントは、それぞれ平面視にて方形状であり、且つ少なくとも何れか一方は、辺の長さが異なる少なくとも二種類以上からなる構成を採用することができる。
【００１０】
上記構成からなる軽運動補助路によれば、第一エレメントを並べて配置したり、間に一つ又は複数の第二エレメントを配置したりと、第一エレメントと第二エレメントの並び方を変えることより、識別子の間隔を変更することができる。
【００１１】
そして、本発明に係る軽運動補助路は、複数の第一エレメントを所定の方向に並べて若しくは間隔を開けて配置したものを複数並列させると共に、各列毎に識別子の間隔を異ならせるようにした構成を採用することができる。
【００１２】
上記構成からなる軽運動補助路によれば、利用者は自分の体力、体調の程度に応じて自分に合った列を選択して歩行運動、走行運動あるいは跳躍運動をする。識別子の間隔が異なる複数の列が常設されているため、従来のペースメーカーのようにいちいち設定変更を行う必要がない。
【００１３】
また、本発明に係る軽運動補助路は、複数の第一エレメントが右足用と左足用とが所定の方向に沿って交互に配置されてなる構成を採用することができる。かかる構成からなる軽運動補助路は、歩行運動や走行運動を対象とするものである。進行方向にある識別子が右足用であれば、右足を繰り出し、次は左足用であるから、左足を繰り出し、このように左右の足を交互に繰り出して進むことにより、歩幅や走行幅が定められる。
【００１４】
一方、本発明に係る軽運動補助路は、複数の第一エレメントが片足用と両足用の何れかが所定の方向に沿って適宜に配置されてなる構成を採用することもできる。かかる構成からなる軽運動補助路は、跳躍運動を対象とするものである。片足用の識別子が連続すれば、その間は片足で跳躍して進み、次の識別子が両足用となれば、両足で着地して小休止する。これを繰り返して跳躍運動を行う。
【００１５】
【発明の実施の形態】
以下、本発明に係る軽運動補助路の一実施形態について図面を参酌しつつ詳細に説明する。
【００１６】
出願人は、日常身近にある近隣公園をターゲットに、誰もが集え、魅力ある公園とするため、「軽運動」、「バリアフリー」、「安らぎ憩い」をキーワードに心身ともにリフレッシュできる新しい公園（「シニアアスレチックパーク」と称する）を提案するが、本実施形態に係る軽運動補助路は、「軽運動」のための一つのアイテムであり、第一実施形態で説明する歩行運動補助路と、第二実施形態で説明する跳躍運動補助路とがある。
【００１７】
＜第一実施形態＞
図１及び図２に示す如く、第一実施形態に係る歩行運動補助路１は、踏点であることを示す識別子（「足」のマーク）が表示された第一エレメント２，…を備え、複数の第一エレメント２，…を所定の方向（歩行方向）Ｐに並べて若しくは間隔を開けて配置したものである。
【００１８】
第一エレメント２は、平面視が方形状のブロック体からなり、正方形状の第一エレメント２ａ，２ｂと、長方形状の第一エレメント２ｃ，２ｄとがある。第一エレメント２ｃ，２ｄは、短辺が第一エレメント２ａ，２ｂの一辺と同一長さであり、長辺が第一エレメント２ａ，２ｂの一辺の１．５倍の長さに形成されている。より具体的には、第一エレメント２ａ，２ｂは、３００ｍｍ角の正方形状であり、第一エレメント２ｃ，２ｄは、短辺が３００ｍｍ、長辺が４５０ｍｍの長方形状である。
【００１９】
また、歩行運動補助路１は、第一エレメント２以外に、識別子が表示されていない第二エレメント３，…を備える。第二エレメント３も、第一エレメント２と同様、平面視が方形状のブロック体からなる。より具体的には、第二エレメント３は、３００ｍｍ角の正方形状である。
【００２０】
第一エレメント２ａ，２ｃには、左足用の識別子が表示されており、第一エレメント２ｂ，２ｄには、右足用の識別子が表示されている。そして、これら右足用と左足用とを歩行方向Ｐに沿って交互に配置することで、地面に残った人の足跡の軌跡を表現している。尚、第一エレメント２ｃ，２ｄの識別子である足のマークは、長手方向に沿って表示されるようになっている。
【００２１】
これら第一エレメント２，…、第二エレメント３，…は、隙間が生じないように規則正しく並べて配置されるのであるが、本実施形態に係る歩行運動補助路１では、複数の第一エレメント２，…を歩行方向Ｐに並べて若しくは間隔を開けて配置したものを複数並列させると共に、各列Ｌ１〜Ｌ５毎に識別子の間隔を異ならせるようにしている。
【００２２】
第一列Ｌ１は、識別子の間隔が最も狭い列であり、第一列Ｌ１よりは第二列Ｌ２、第二列Ｌ２よりは第三列Ｌ３、第三列Ｌ３よりは第四列Ｌ４、第四列Ｌ４よりは第五列Ｌ５における識別子の間隔が広くなっていく。
【００２３】
具体的には、第一列Ｌ１は、走行方向Ｐにおける辺の長さが短い第一エレメント２ａ，２ｂを交互に配置したもので、識別子の間隔は３００ｍｍであり、第二列Ｌ２は、走行方向Ｐにおける辺の長さが長い第一エレメント２ｃ，２ｄを交互に配置したもので、識別子の間隔は４５０ｍｍであり、第三列Ｌ３は、第一エレメント２ａ，２ｂを間に一つの第二エレメント３を置いて交互に配置したもので、識別子の間隔は６００ｍｍであり、第四列Ｌ４は、第一エレメント２ｃ，２ｄを間に一つの第二エレメント３を置いて交互に配置したもので、識別子の間隔は７５０ｍｍであり、第五列Ｌ５は、第一エレメント２ａ，２ｂを間に二つの第二エレメント３，３を置いて交互に配置したもので、識別子の間隔は９００ｍｍである。尚、各列Ｌの上流端にも第二エレメント３が配置されており、ここに各列における識別子の間隔を表示するようにしている。
【００２４】
第一実施形態に係る歩行運動補助路は以上の構成からなり、次にこの歩行運動補助路の使用方法について説明する。
【００２５】
利用者は、自分の体力に合った列Ｌを選択する。識別子の間隔は、第一列Ｌ１側ほど狭くなっており、その分、利用者に対する負担が少なくなっている。そこで、取り敢えずは識別子の間隔が自分の歩幅と一番近いと思われる列Ｌを選択し、歩行してみる。歩行に際しては、左右の足がそれぞれ識別子に合致するような歩幅を心掛ける。
【００２６】
それに慣れれば、１ランク上の列（識別子の間隔（歩幅）がより広い列）Ｌを選択する。それに慣れれば、さらに１ランク上の列Ｌを選択する。但し、歩行に困難さを感じるのであれば、その列Ｌは止めるべきである。
【００２７】
このように、本実施形態に係る歩行運動補助路は、選択した歩幅に応じた歩行運動を通じて、筋力の向上を図り、足腰を鍛えることができる。このため、運動としてではなく、訓練として利用することも可能である。
【００２８】
＜第二実施形態＞
図３及び図４に示す如く、第二実施形態に係る跳躍運動補助路４は、踏点であることを示す識別子（「○」のマーク）が表示された第一エレメント５，…を備え、複数の第一エレメント５，…を所定の方向（跳躍方向）Ｐに並べて連続的に配置したものである。
【００２９】
第一エレメント５は、平面視が方形状のブロック体からなり、より具体的には、４００ｍｍ角の正方形状である。一つの第一エレメント５は、片足に対応しており、従って、二つの第一エレメント５，５を横並び（跳躍方向Ｐと直交する方向）に配置すると、それは両足に対応する。
【００３０】
そして、第一エレメント５は、片足用と両足用の何れかが跳躍方向Ｐに沿って適宜に配置されている。本実施形態においては、昔からの子供の遊びである「けん・けん・ぱ」を実現すべく、複数の第一エレメント５，…が配置されている。
【００３１】
第二エレメント６には、正方形状の第二エレメント６ａ〜６ｄと、長方形状の第二エレメント６ｅとがある。第二エレメント６ａ〜６ｄは、第一エレメント５と同様、平面視が方形状のブロック体からなる。より具体的には、第二エレメント６ａ〜６ｄは、４００ｍｍ角の正方形状である。第二エレメント６ｅは、短辺が第一エレメント５の一辺の半分の長さであり、長辺が第一エレメント５の一辺と同一長さである。より具体的には、第二エレメント６ｅは、短辺が２００ｍｍ、長辺が４００ｍｍの長方形状である。
【００３２】
第二エレメント６ａには、「け」の字が表示されており、第二エレメント６ｂには、「ん」の字が表示されており、第二エレメント６ｃには、「ぱ」の字が表示されており、第二エレメント６ｄ，６ｅは、無地である。第二エレメント６ａ〜６ｃは、複数の第一エレメント５，…の並びに対し、識別子「○」の意味を知らしめるべく対応する箇所に補助情報の提示として配置され、第二エレメント６ｄ，６ｅは、第一エレメント５や第二エレメント６ａ〜６ｃの配置によって生じた隙間を埋めるべく配置される。
【００３３】
第二実施形態に係る跳躍運動補助路は以上の構成からなり、利用者は「けん・けん・ぱ」の要領で跳躍運動を行う。即ち、識別子「○」が一つの場合は、片足で着地し、識別子「○」が二つ横並びの場合は、それぞれに片足を付けて両足で着地し、各識別子間を跳躍によって進むのである。
【００３４】
以上のように、第一実施形態に係る歩行運動補助路であれ、第二実施形態に係る跳躍運動補助路であれ、比較的簡単な設備で誰でも気軽に利用することができ、また、識別子を踏むという遊技性を取り入れているため、興趣性も備わっている。従って、利用者は、運動を無理なく楽しみながら行うことができる。
【００３５】
尚、本発明に係る軽運動補助路は、上記何れの実施形態にも限定されることはなく、本発明の要旨を逸脱しない範囲で種々の変更が可能である。
【００３６】
例えば、第一エレメント及び第二エレメントの形状、大きさ、用いる数、配置態様等は特に限定されない。また、第二エレメントは必須ではなく、第一エレメントのみを用いるようにしてもよい。この場合、第一エレメントを必要な位置に配置した上で、該第一エレメントの表面が地面と略面一となるように該第一エレメントを地中に埋設すればよい。
【００３７】
また、第一エレメントに表示される識別子の形態は特に限定されない。要は、利用者がそこを踏点であると認識できるものであればよい。それも識別子そのものが直接的に踏点と認識され得るべきものである必要性はなく、例えば第二実施形態のように、「け」、「ん」、「ぱ」といった間接情報をもって識別子が踏点と認識されるようにしてもよい。
【００３８】
【発明の効果】
以上のように、本発明に係る軽運動補助路は、所定の方向に沿って並ぶ複数の識別子を踏むようにして歩行運動、走行運動あるいは跳躍運動を行うものであり、安価であるばかりでなく、公園、歩道、体育館等に設置することで誰でも気軽に利用することができる。しかも、識別子を正確に踏み続けることに対してある程度の満足感が得られるため、遊び感覚を持って接することができる。
【図面の簡単な説明】
【図１】本発明の第一実施形態に係る歩行運動補助路の平面図を示す。
【図２】（イ）〜（ニ）は、第一エレメントの平面図、（ホ）は、第二エレメントの平面図を示す。
【図３】本発明の第二実施形態に係る跳躍運動補助路の平面図を示す。
【図４】（イ）は、第一エレメントの平面図、（ロ）〜（ヘ）は、第二エレメントの平面図を示す。
【符号の説明】
１…歩行運動補助路、２ａ〜２ｄ…第一エレメント、３…第二エレメント、４…跳躍運動補助路、５…第一エレメント、６ａ〜６ｅ…第二エレメント
【図１】
2004305481.tif 000003
【図２】
2004305481.tif 000004
【図３】
2004305481.tif 000005
【図４】
2004305481.tif 000006